(57)【要約】【課題】  通通信帯域が広く、通信情報の機密性が高く、容易に近接通信を行うことのできる通信装置及びこれを用いたシステムを提供することを課題とする。【解決手段】  通信装置は、給電部、前記給電部に接続されるループ状のアンテナエレメント、及び前記アンテナエレメントのループの一部に含まれる抵抗器を含むアンテナ装置と、前記アンテナ装置を通じて送受信するデータを処理する通信回路とを有する。【選択図】図１
2010056706.tif 000002
【特許請求の範囲】
【請求項１】
給電部、
前記給電部に接続されるループ状のアンテナエレメント、及び
前記アンテナエレメントのループの一部に含まれる抵抗器
を含むアンテナ装置と、
前記アンテナ装置を通じて送受信するデータを処理する通信回路と
を有する、通信装置。
【請求項２】
前記アンテナ装置に含まれる前記アンテナエレメントのループの長さは、通信周波数における波長の一波長分の長さである、請求項１に記載の通信装置。
【請求項３】
前記平板状のグランド部、
前記グランド部の平板を貫通するスロット部、
前記スロット部に接続される給電部、及び
前記給電部とは離間されるとともに、前記スロット部に渡されて両端が前記グランド部に接合される抵抗器
を含む、アンテナ装置と
前記アンテナ装置を通じて送受信するデータを処理する通信回路と
を有する、通信装置。
【請求項４】
前記アンテナ装置に含まれる前記給電部と前記抵抗器は、前記スロット部の長手方向の中点を挟んで、互いに異なる側において、前記グランド部に接続される、請求項３に記載の通信装置。
【請求項５】
前記アンテナ装置を複数収容する筐体と、
前記筐体内に配設される加速度計と
をさらに有し、
前記複数のアンテナ装置は、前記筐体の互いに異なる複数の面の各々の内部側に配設されており、前記加速度計によって鉛直下方向にあると判定された面に対応するアンテナ装置を介して、データの送受信を行う、請求項１乃至４のいずれか一項に記載の通信装置。
【請求項６】
請求項１乃至５のいずれか一項に記載の通信装置を任意の組み合わせで複数含む、システム。
【発明の詳細な説明】
【技術分野】
【０００１】
本発明は、広帯域で近接通信を行う通信装置及びこれを用いたシステムに関する。
【背景技術】
【０００２】
従来より、複数の近接結合部、及び複数の中継通信回路を平面上に備え、各中継通信回路は近接結合部及び他の中継通信回路と通信網を形成する通信シートが提案されていた。この通信シートは、他の通信シートと接触又は近接した場合に、近接結合部を通じてデータ通信を行う。このような通信シートは、無線ＬＡＮ（Local Area Network）のような無線通信ネットワークを構築するために提案されていた（例えば、特許文献１参照）。
【特許文献１】特開２００６−１９９７９号公報
【発明の開示】
【発明が解決しようとする課題】
【０００３】
ところで、従来の通信シートは、容量結合を用いて通信シート同士の間における通信網を確立しており、その通信回路にはＬＣ回路が含まれるため、通信帯域は狭く、広帯域での通信は困難であった。
【０００４】
また、容量結合を用いて通信を行っているため、電磁波や電界の漏れが生じる場合があり、通信情報の機密性を保持することが困難であった。
【０００５】
そこで、本発明は、通信帯域が広く、通信情報の機密性が高く、容易に近接通信を行うことのできる通信装置及びこれを用いたシステムを提供することを目的とする。
【課題を解決するための手段】
【０００６】
本発明の一局面の通信装置は、給電部、前記給電部に接続されるループ状のアンテナエレメント、及び前記アンテナエレメントのループの一部に含まれる抵抗器を含むアンテナ装置と、前記アンテナ装置を通じて送受信するデータを処理する通信回路とを有する。
【０００７】
また、前記アンテナ装置に含まれる前記アンテナエレメントのループの長さは、通信周波数における波長の一波長分の長さであってもよい。
【０００８】
本発明の他の局面の通信装置は、前記平板状のグランド部、前記グランド部の平板を貫通するスロット部、前記スロット部に接続される給電部、及び前記給電部とは離間されるとともに、前記スロット部に渡されて両端が前記グランド部に接合される抵抗器を含む、アンテナ装置と、前記アンテナ装置を通じて送受信するデータを処理する通信回路とを有する。
【０００９】
また、前記アンテナ装置に含まれる前記給電部と前記抵抗器は、前記スロット部の長手方向の中点を挟んで、互いに異なる側において、前記グランド部に接続されてもよい。
【００１０】
また、前記アンテナ装置を複数収容する筐体と、前記筐体内に配設される加速度計と
をさらに有し、前記複数のアンテナ装置は、前記筐体の互いに異なる複数の面の各々の内部側に配設されており、前記加速度計によって鉛直下方向にあると判定された面に対応するアンテナ装置を介して、データの送受信を行ってもよい。
【００１１】
本発明の一局面のシステムは、前記いずれかに記載の通信装置を任意の組み合わせで複数含む。
【発明の効果】
【００１２】
本発明によれば、通信帯域が広く、通信情報の機密性が高く、容易に近接通信を行うことのできる通信装置及びこれを用いたシステムを提供できるという特有の効果が得られる。
【発明を実施するための最良の形態】
【００１３】
以下、本発明の通信装置及びこれを用いたシステムを適用した実施の形態について説明する。
【００１４】
［実施の形態１］
図１は、実施の形態１の通信装置に含まれるアンテナ装置の回路構成を示す図である。
【００１５】
実施の形態１の通信装置に含まれるアンテナ装置１０は、図１に示すように、給電部１１、この給電部１１に接続されるループ状のアンテナエレメント１２、及び、アンテナエレメント１２の長手方向の一部に挿入された抵抗器１３を含む。アンテナエレメント１２は、一端１２Ａ及び他端１２Ｂが給電部１１に接続されており、一端１２Ａと他端１２Ｂの中央に抵抗器１３が挿入されている。
【００１６】
給電部１１は、外部電源からアンテナエレメント１２に給電するための端子である。この給電部１１には、接続端子を介して、同軸ケーブルが接続される。
【００１７】
同軸ケーブルの芯線は、アンテナエレメント１２の一端１２Ａに接続され、同軸ケーブルのシールド線は、アンテナエレメント１２の他端１２Ｂに接続される。
【００１８】
給電部１１には、同軸ケーブルを介して、例えば、３ＧＨｚ〜５ＧＨｚ程度の高周波電圧が印加される。
【００１９】
アンテナエレメント１２は、給電部１１を介して印加される高周波電圧が供給されるアンテナエレメントであり、例えば、銅製である。また、アンテナエレメント１２は、通信回路を搭載する基板にプリント配線されるループ状の銅製のアンテナエレメントであってもよい。
【００２０】
また、このアンテナエレメント１２は、一端１２Ａと他端１２Ｂの中央に抵抗器１３を有する。すなわち、抵抗器１３への接続点１２Ｃと１２Ｄの間は、抵抗器１３によって接続されており、抵抗器１３を含んだ状態で、ループを形成している。
【００２１】
なお、ここでは、平面視で略円形のループのアンテナエレメント１２を示すが、アンテナエレメント１２の形状は、平面視で菱形であってもよい。この場合は、アンテナエレメント１２がロンビックアンテナとなるので、指向性を持たせたい場合に有効的である。
【００２２】
給電部１１に接続されるアンテナエレメント１２の長さは、例えば、使用周波数の一波長に設定される。例えば、３ＧＨｚの高周波電圧が印加される場合には、一端１２Ａと他端１２Ｂの間のループの長さ（抵抗器１３を含む長さ）が１００ｍｍとなる。
【００２３】
抵抗器１３は、アンテナエレメント１２の長手方向の一端１２Ａと他端１２Ｂの中央に挿入された抵抗器であり、例えば、１ｋΩの抵抗器が用いられる。抵抗器１３の抵抗値は、通信距離が数センチ以内の近接通信が実現できる抵抗値であれば、１ｋΩに限られるものではない。
【００２４】
実施の形態１の通信装置に含まれるアンテナ装置は、例えば、数センチ以内程度の近接通信を想定しているため、抵抗器１３がアンテナエレメント１２に挿入されることにより、給電部１１を介して供給される電力は、その殆どが抵抗器１３で消費される。
【００２５】
このような実施の形態１の通信装置に含まれるアンテナ装置では、アンテナエレメント１２には、抵抗器１３が挿入されているだけで、インダクタンス（Ｌ）成分や、キャパシタンス（Ｃ）成分は含まれていない。
【００２６】
このため、給電部１１からアンテナエレメント１２に高周波電圧を供給した場合に、共振は生じず、広帯域の周波数帯域が得られる。
【００２７】
図２は、実施の形態１の通信装置に含まれるアンテナ装置におけるＶＳＷＲ特性を示す図である。
【００２８】
このＶＳＷＲ（Voltage Standing Wave Ratio）特性に示されるように、アンテナエレメント１２のループ長を１００ｍｍとし、抵抗器１３の抵抗値が１ｋΩのものを用いて測定したところ、ＶＳＷＲが４．０以下の帯域は、３．７ＧＨｚ〜５．０ＧＨｚであり、帯域幅は１．３ＧＨｚとなった。
【００２９】
一方、比較用に、ループ長を１００ｍｍ、又は７５ｍｍとし、抵抗器１３を装着しないアンテナ装置で測定したところ、ループ長が１００ｍｍのものでは、ＶＳＷＲが４．０以下となるのは、周波数帯域が２．８ＧＨｚ〜３．４ＧＨｚであり、帯域幅が０．６ＧＨｚと狭く、かつ、帯域がＵＷＢ（Ultra Wide Band）に利用可能な３ＧＨｚ〜５ＧＨｚの帯域からずれてしまった。
【００３０】
また、ループ長が７５ｍｍのものでは、ＶＳＷＲが４．０以下となるのは、３．７ＧＨｚ〜４．６ＧＨｚであり、帯域幅は０．９ＧＨｚとなった。
【００３１】
このように、実施の形態１の通信装置に含まれるアンテナ装置によれば、比較用のアンテナ装置に比べて、帯域が超広帯域（ＵＷＢ）通信に適しており、その帯域幅が、約１．４倍に拡大されたことが判った。
【００３２】
以上、実施の形態１の通信装置に含まれるアンテナ装置では、抵抗装荷により進行波型で超広帯域（ＵＷＢ）のアンテナ装置を提供することができる。
【００３３】
また、抵抗器１３で電力が消費されるため、低電力通信用のアンテナ装置となり、通信距離は、例えば、数センチ以内程度にすることができる。このように通信距離が短いため、外乱を受け難いという効果が得られる。
【００３４】
また、抵抗器１３を有するだけで、インダクタンス（Ｌ）成分やキャパシタンス（Ｃ）成分を有さず、共振周波数がないため、広帯域の通信が可能である。
【００３５】
このように、実施の形態１の通信装置に含まれるアンテナ装置によれば、給電部１１にループ状のアンテナエレメント１２及び抵抗器１３を接続するだけの簡単な構成により、低電力通信用で広帯域通信が可能な進行波型のアンテナ装置を提供することができる。
【００３６】
特に、上述のＶＳＷＲ特性から判るように、通信帯域が広いため、ＵＷＢによる大容量のデータ通信が可能になる。
【００３７】
なお、アンテナエレメント１２及び抵抗器１３は、ＰＣＢ（Printed Circuit Board）に、パターニングにより形成することが可能である。
【００３８】
また、以上では、抵抗器１３がアンテナエレメント１２の一端１２Ａと他端１２Ｂとの中央に配設される形態について説明したが、抵抗器１３が配設される部位は、必ずしも一端１２Ａと他端１２Ｂの中央である必要はなく、一端１２Ａの側、又は他端１２Ｂの側にオフセットしていてもよい。
【００３９】
図３は、実施の形態１の通信装置の構成を示す図であり、（ａ）は通信装置の外観を示す斜視図、（ｂ）は（ａ）の矢視Ａ−Ａ断面を示す図、（ｃ）は通信装置の構成を示すブロック図である。
【００４０】
図３（ａ）に示すように、実施の形態１の通信装置１００は、４つのアンテナ装置１０Ａ、１０Ｂ、１０Ｃ、１０Ｄを含む。このアンテナ装置１０Ａ〜１０Ｄは、図１及び図２を用いて説明したアンテナ装置１０と同一のものである。
【００４１】
アンテナ装置１０Ａ、１０Ｂ、１０Ｃ、１０Ｄは、通信装置１００の上面１００Ａにマトリクス状に設けられた凹部１０１Ａ、１０１Ｂ、１０１Ｃ、１０１Ｄの底面の下方に（すなわち、通信装置１００の筐体の内部に）それぞれ配設されている。
【００４２】
図３（ｂ）に示すように、図３（ａ）の矢視Ａ−Ａ断面では、通信装置１００の内部にアンテナ装置１０Ａ、１０Ｂ、及び通信回路１１０が配設されている。図３（ｂ）にはアンテナ装置１０Ａ及び１０Ｂのみを示すが、アンテナ装置１０Ａ〜１０Ｄは、すべて通信回路１１０に接続されている。
【００４３】
また、凹部１０１Ａ、１０１Ｂは、互いの間の長さａが数センチ、深さｂが数センチ、平面視では一辺が１０センチの正方形の形状をしている。これは、凹部１０１Ｃ、１０１Ｄも同一である。
【００４４】
なお、通信装置１００は、ホスト装置としてのＰＣ（Personal Computer）１２０に接続される。
【００４５】
図３（ｃ）に示すように、通信回路１１０は、アンテナ装置が接続されるＲＦ送受信装置１１０Ａ、データ処理装置１１０Ｂ、インターフェイス回路（Ｉ／Ｆ）１１０Ｃ、及びスイッチ１１０Ｄを含む。
【００４６】
ＲＦ送受信装置１１０Ａは、データ処理装置１１０Ｂから入力された送信データをＲＦ信号（搬送波）に重畳し、さらにこれを変調してスイッチ１１０Ｄに出力する。また、アンテナ装置１０Ａ〜１０Ｄを介して受信されたデータを復調し、ＲＦ信号を除去して受信データをデータ処理装置１１０Ｂに出力する。
【００４７】
データ処理装置１１０Ｂは、送信データのデジタル／アナログ変換、及び、受信データのアナログ／デジタル変換を行う。
【００４８】
インターフェイス回路１１０Ｃは、ＰＣ１２０との間で送受信データの授受を行う。
【００４９】
スイッチ１１０Ｄは、アンテナ装置１０Ａ〜１０ＤのいずれかとＲＦ送受信装置１１０Ａとを接続する切替部である。
【００５０】
アンテナ装置１０Ａ〜１０Ｄの各々は、通信データの種類が割り当てられており、アンテナ装置１０Ａは画像データ用、アンテナ装置１０Ｂは音楽データ用、アンテナ装置１０Ｃは文書データ用、アンテナ装置１０Ｄはその他のデータ用に用いられる。
【００５１】
スイッチ１１０Ｄは、アンテナ装置１０Ａ〜１０Ｄと同一のアンテナ装置を含む端末装置が凹部１０１Ａ〜１０１Ｄのいずれかに近接させると、その凹部のアンテナ装置（１０Ａ〜１０Ｄのいずれか）とＲＦ送受信装置１１０Ａとを接続するように構成されている。
【００５２】
例えば、凹部１０１Ａに端末装置が近接されると、アンテナ装置１０Ａを介して端末装置内の画像データがＲＦ送受信装置１１０Ａに伝送され、データ処理装置１１０Ｂ及びインターフェイス回路１１０Ｃを介して、ＰＣ１２０に入力される。ＰＣ１２０では、端末装置から入力された画像データを再生することができる。
【００５３】
これは、アンテナ装置１０Ｂ、１０Ｃ、又は１０Ｄの各々で端末装置内の音楽データ、文書データ、又はその他のデータの各々が受信された場合においても同様であり、ＰＣ１２０では、端末装置から入力された音楽データ、文書データ、又はその他のデータを再生することができる。
【００５４】
このため、例えば、アンテナ装置１０Ａ〜１０Ｄと同一のアンテナ装置を含む端末装置を凹部１０１Ａ〜１０１Ｄのいずれかに近接させれば、端末装置と通信装置１００の間で、大容量の高速通信を行うことができる。例えば、画像データや音楽データ等のデータ容量の大きなデータであっても、端末装置とＰＣ１２０の間で、迅速にデータの送受信を行うことができる。
【００５５】
この近接通信は、数センチ以内程度の極近距離、又はアンテナ装置同士が当接した状態で行われるため、通信情報の機密性も確保される。
【００５６】
以上、実施の形態１によれば、通信帯域が広く、通信情報の機密性が高く、容易に近接通信を行うことのできる通信装置１００を提供することができる。
【００５７】
なお、端末装置としては、例えば、携帯電話、デジタルカメラ、ビデオカメラ、音楽プレーヤ等が挙げられる。
【００５８】
また、ＰＣ１２０の代わりに、サーバを通信装置１００に接続してもよい。
【００５９】
このような近接通信においては、特に、通信装置１００と端末装置を端子等を介して物理的に接続する必要がないため、データの送受信が容易であり、端末装置を通信装置１００にかざすだけで、端末装置側の画像データや音楽データをＰＣ１２０側で再生することが可能である。
【００６０】
なお、以上では、通信装置１００が凹部１０１Ａ〜１０１Ｄを含む形態について説明したが、４つの凹部の代わりに、同一寸法の４つの凸部を含んでもよい。
【００６１】
また、凹部１０１Ａ〜１０１Ｄの寸法は、上述した寸法に限定されるものではなく、端末装置の寸法等に合わせた寸法に設定すればよい。
【００６２】
また、凹部１０１Ａ〜１０１Ｄの数は、幾つであってもよい。
【００６３】
また、以上では、スイッチ１１０ＤでＲＦ送受信装置１１０Ａに接続するアンテナ装置（１０Ａ〜１０Ｄのいずれか）を切り替える形態について説明したが、アンテナ装置１０Ａ〜１０Ｄの各々にＲＦ送受信装置を１つずつ接続し、４つのＲＦ送受信装置とデータ処理装置１１０Ｂとの間にスイッチを配設して、切替を行ってもよい。
【００６４】
［実施の形態２］
図４は、実施の形態２の通信装置に含まれるアンテナ装置２０の構成を示す図である。
【００６５】
実施の形態２のアンテナ装置２０は、平板状のグランド部２１、グランド部２１のスロット部２１Ａに接続される給電部２２、及び、グランド部２１のスロット部２１Ａに接続される抵抗器２３を含む。
【００６６】
グランド部２１は、平面視長方形の平板状であり、接地されるエレメントである。このグランド部２１は、例えば、銅製であればよい。また、グランド部２１は、平面視における略中央に、長手方向に切り欠かれた溝状のスロット部２１Ａを有する。このスロット部２１Ａは、グランド部２１を貫通している。
【００６７】
給電部２２は、外部電源からアンテナエレメント１２に給電するための端子である。実施の形態２のアンテナ装置２０では、給電部２２は、スロット部２１Ａを挟んで、給電部に接続される同軸ケーブルの芯線が一方の側２１Ｂに接続されるとともに、同軸ケーブルのシールド線がスロット部２１Ａの他方の側２１Ｃに接続されるように、グランド部２１に接続されている。この給電部２２には、同軸ケーブルを介して、例えば、３ＧＨｚ〜５ＧＨｚ程度の高周波電圧が印加される。
【００６８】
抵抗器２３は、その両端がスロット部２１Ａを挟んでグランド部２１に接続されている。すなわち、抵抗器２３は、スロット部２１Ａに渡された状態で、両端がグランド部２１に接合されている。この抵抗器２３の抵抗値は、例えば、５１Ωに設定すればよい。
【００６９】
この抵抗器２３の抵抗値は、給電部２２とインピーダンス整合が取れる抵抗値であれば、５１Ω以外の値であってもよい。
【００７０】
このような実施の形態２のアンテナ装置２０では、グランド部２１には、抵抗器２３が挿入されているだけで、インダクタンス（Ｌ）成分や、キャパシタンス（Ｃ）成分は含まれていない。
【００７１】
このため、給電部２２からグランド部２１に高周波電圧を供給した場合に、共振は生じず、広帯域の周波数帯域が得られる。
【００７２】
図５は、実施の形態２の通信装置に含まれるアンテナ装置２０におけるＶＳＷＲ特性を示す図である。図４に示すグランド部２１の長手方向の辺の長さａを３９ｍｍ、長手方向に直行する辺の長さｂを２９ｍｍ、スロット部２１Ａの長さｃを２４ｍｍ、スロット部２１Ａの図中右端から給電部２２までの長さをｄを２１．１ｍｍとし、スロット部２１Ａの図中右端から抵抗器２３の接続点までの長さをｅとすると、図５に示すＶＳＷＲ特性を得た。
【００７３】
ｅ＝４ｍｍの場合に、ＶＳＷＲが４．０以下の帯域は、３．９２ＧＨｚ〜５．３６ＧＨｚであり、帯域幅は１．４４ＧＨｚとなった。
【００７４】
また、ｅ＝２ｍｍの場合に、ＶＳＷＲが４．０以下の帯域は、３．６９ＧＨｚ〜４．８７ＧＨｚであり、帯域幅は１．１８ＧＨｚとなった。
【００７５】
一方、比較用に、抵抗器２３を装着しないアンテナ装置で測定したところ、ＶＳＷＲが４．０以下となるのは、３．７３ＧＨｚ〜４．６９ＧＨｚであり、帯域幅は０．９６ＧＨｚとなった。
【００７６】
このように、実施の形態２のアンテナ装置２０によれば、超広帯域（ＵＷＢ）通信に適した帯域が得られ、比較用のアンテナ装置に比べて、帯域幅が、最大で約１．５倍に拡大されたことが判った。
【００７７】
以上、実施の形態２のアンテナ装置２０では、抵抗装荷により超広帯域のアンテナ装置を提供することができる。
【００７８】
また、抵抗器２３で電力が消費されるため、低電力通信用のアンテナ装置となり、通信距離は、例えば、数センチ以内程度にすることができる。このように通信距離が短いため、外乱を受け難いという効果が得られる。
【００７９】
また、スロット部２１Ａは、アンテナ装置に指向性をもたらすため、スロット部２１Ａの形状及び寸法を選択することにより、通信相手の機器との関係でデータの機密性を向上させることができる。
【００８０】
また、抵抗器２３を有するだけで、インダクタンス（Ｌ）成分やキャパシタンス（Ｃ）成分を有さず、共振周波数がないため、広帯域の通信が可能である。
【００８１】
このように、実施の形態２のアンテナ装置２０によれば、グランド部２１に給電部２２及び抵抗器２３を接続するだけの簡単な構成により、低電力通信用で機密性が高く、ＵＷＢによる広帯域通信が可能なアンテナ装置を提供することができる。
【００８２】
特に、上述のＶＳＷＲ特性から判るように、通信帯域が広いため、ＵＷＢによる大容量のデータ通信が可能になる。
【００８３】
なお、スロット部２１Ａの形状及び寸法は、用途に合わせて任意に選択することができる。
【００８４】
図６は、実施の形態２の通信装置を内蔵する端末装置の構成を示す図であり、（ａ）は外観を示す斜視図、（ｂ）は内部構成を示す透視図、（ｃ）は回路構成を示す図である。
【００８５】
図６（ａ）に示すように、実施の形態２の通信装置を内蔵する端末装置２００は、３つの面には、音楽再生、画像再生、文書編集を表すマークが記されている。
【００８６】
図６（ｂ）に示すように、端末装置２００の３つの面の内部側にはアンテナ装置２０Ａ、２０Ｂ、２０Ｃが１つずつ配設されている。
【００８７】
また、図６（ｃ）に示すように、アンテナ装置２０Ａ〜２０Ｃは、通信回路２１０に接続されている。
【００８８】
通信回路２１０には、端末装置２００の各機能を実現するための処理を実行する演算処理装置２２０、演算処理装置２２０で処理を行うプログラムやデータを記憶するメモリ２３０、及び再生装置２４０が接続されている。再生装置２４０には、モニタやスピーカが含まれる。
【００８９】
演算処理装置２２０は、メモリ２３０に記憶されるプログラムの実行やデータの処理を行うことにより、再生装置２４０を使用して、音楽再生、画像再生、文書編集を実現する。
【００９０】
また、端末装置２００は、加速度センサ２５０を含み、この加速度センサ２５０は演算処理装置２２０に接続されている。
【００９１】
なお、実施の形態２の通信装置は、アンテナ装置２０Ａ〜２０Ｃ、通信回路２１０、演算処理装置２２０、及び加速度センサ２５０で構成される。
【００９２】
このような実施の形態２の通信装置を含む端末装置２００は、実施の形態１の通信装置１００と通信することができる。すなわち、実施の形態２の通信装置を含む端末装置２００と実施の形態１の通信装置１００を含むシステムでは、音楽再生を表すマークを下側に向けて通信装置１００に近接させると、加速度センサ２５０が音楽再生を表すマークが下側に向けられたことを検出し、演算処理装置２２がメモリ２３０に記憶されている音楽データをアンテナ２０Ａから出力する。これにより、通信装置１００を介してＰＣ１２０に転送することができる。
【００９３】
このため、ＰＣ１２０では、端末装置２００のメモリ２３０に記憶されている音楽データを再生することができる。
【００９４】
同様に、画像再生を表すマークを下側に向けて通信装置１００に近接させると、加速度センサ２５０が画像再生を表すマークが下側に向けられたことを検出し、演算処理装置２２がメモリ２３０に記憶されている画像データをアンテナ２０Ｂから出力する。これにより、通信装置１００を介してＰＣ１２０に転送することができる。
【００９５】
このため、ＰＣ１２０では、端末装置２００のメモリ２３０に記憶されている画像データを再生することができる。
【００９６】
また、文書編集を表すマークを下側に向けて通信装置１００に近接させると、加速度センサ２５０が文書編集を表すマークが下側に向けられたことを検出し、演算処理装置２２がメモリ２３０に記憶されている文書データをアンテナ２０Ｃから出力する。これにより、通信装置１００を介してＰＣ１２０に転送することができる。
【００９７】
このため、ＰＣ１２０では、端末装置２００のメモリ２３０に記憶されている文書データを表示し、編集することができる。
【００９８】
このように、実施の形態２の通信装置を含む端末装置２００では、近接通信による大容量の高速通信を行うことができる。
【００９９】
このような近接通信においては、特に、通信装置１００と端末装置２００を端子等を介して物理的に接続する必要がなく、データの種類を表すマークが付された面を下側にして相手装置のアンテナ装置に近接させるだけでデータの送信を行うことができるため、データの送受信が容易であり、端末装置２００を通信装置１００にかざすだけで、端末装置２００側の画像データや音楽データをＰＣ１２０側で再生することが可能である。
【０１００】
この近接通信は、数センチ以内程度の極近距離、又はアンテナ装置同士が当接した状態で行われるため、通信情報の機密性も確保される。
【０１０１】
以上、実施の形態２によれば、通信帯域が広く、通信情報の機密性が高く、容易に近接通信を行うことのできる通信装置及びこれを用いたシステムを提供することができる。
【０１０２】
なお、以上では、端末装置２００として説明したが、この端末装置２００は、例えば、携帯電話、デジタルカメラ、ビデオカメラ、音楽プレーヤ等として実現することができる。
【０１０３】
また、以上では、端末装置２００自体でも、音楽再生、画像再生、文書編集を行う機能を有する形態について説明したが、端末装置２００は、これらの機能を有していなくてもよい。
【０１０４】
また、以上では、端末装置２００から相手側の装置である通信装置１００にデータを送信する形態について説明したが、これとは逆に、データの受信も行えるようにしてもよい。
【０１０５】
また、以上では、端末装置２００がアンテナ装置２０を含む形態について説明したが、端末装置２００は、アンテナ装置２０の代わりに、実施の形態１のアンテナ装置１０を含んでもよい。
【０１０６】
［実施の形態３］
図７は、実施の形態３の通信装置の構成を示す図である。実施の形態３の通信装置３００は、実施の形態１の通信装置１００の変形例である。このため、実施の形態１と同一の構成要素には、同一符号を付し、その説明を省略する。
【０１０７】
実施の形態３の通信装置３００は、ＰＣ１２０のキーボード３１０に内蔵される。図７に示すように、キーボード３１０のテンキーの右側に筐体の延長部３１０Ａを設け、この延長部３１０Ａに通信装置３００を内蔵する。アンテナ１０は、延長部３１０の表面に配設される。
【０１０８】
このように通信装置３００をキーボード３１０に内蔵させて、実施の形態２の端末装置２００をアンテナ１０に近接させれば、大容量の高速通信を行うことができる。
【０１０９】
すなわち、実施の形態３の通信装置３００と、実施の形態２の端末装置２００を含むシステムで、近接通信による大容量の高速通信を行うことができる。
【０１１０】
このような近接通信においては、特に、通信装置１００と端末装置２００を端子等を介して物理的に接続する必要がなく、データの種類を表すマークが付された面を下側にしてアンテナ装置１０に近接させるだけでデータの送信を行うことができるため、データの送受信が容易であり、端末装置２００をアンテナ装置１０にかざすだけで、端末装置２００側の画像データや音楽データをＰＣ１２０側で再生することが可能である。
【０１１１】
この近接通信は、数センチ以内程度の極近距離、又はアンテナ装置同士が当接した状態で行われるため、通信情報の機密性も確保される。
【０１１２】
以上、実施の形態３によれば、通信帯域が広く、通信情報の機密性が高く、容易に近接通信を行うことのできる通信装置３００及びこれを用いたシステムを提供することができる。
【０１１３】
［実施の形態４］
図８は、実施の形態４の通信装置の構成を示す図であり、（ａ）は平面図、（ｂ）は側面図である。実施の形態４の通信装置４００は、実施の形態３の通信装置３００の変形例である。このため、実施の形態３と同一の構成要素には、同一符号を付し、その説明を省略する。
【０１１４】
図８（ａ）に示すように、通信装置４００は、キーボード４１０のテンキーの下に配設されている。
【０１１５】
また、図８（ｂ）に示すように、アンテナ１０は、キーボード４１０の側面に配設されている。
【０１１６】
このように通信装置４００をキーボード４１０に内蔵させて、実施の形態２の端末装置２００をアンテナ１０に近接させれば、大容量の高速通信を行うことができる。
【０１１７】
すなわち、実施の形態４の通信装置４００と、実施の形態２の端末装置２００を含むシステムで、近接通信による大容量の高速通信を行うことができる。
【０１１８】
この近接通信は、数センチ以内程度の極近距離、又はアンテナ装置同士が当接した状態で行われるため、通信情報の機密性も確保される。
【０１１９】
以上、実施の形態４によれば、通信帯域が広く、通信情報の機密性が高く、容易に近接通信を行うことのできる通信装置４００及びこれを用いたシステムを提供することができる。
【０１２０】
なお、実施の形態３のように、キーボード４１０が延長部を含まないため、キーボード４１０の小型化を図ることができる。
【０１２１】
［実施の形態５］
図９は、実施の形態５の通信装置の構成を示す図である。実施の形態５の通信装置５００Ａ、５００Ｂは、実施の形態３の通信装置３００の変形例である。このため、実施の形態３と同一の構成要素には、同一符号を付し、その説明を省略する。
【０１２２】
アンテナ装置１０は、キーボード５１０の底面側に設けられ、通信装置５００Ａは、キーボード５１０の内部に配設される。
【０１２３】
また、ＰＣ１２０には、通信装置５００Ｂが接続されている。この通信装置５００Ｂは、薄板状の通信装置であり、キーボード５１０を載せると、通信装置５００Ａのアンテナ装置と、通信装置５００Ｂのアンテナ装置が近接通信を行えるように構成されている。
【０１２４】
通信装置５００Ａは、ＰＣ１２０のキーボード５１０の入力データを通信装置５００Ｂに伝送する。この近接通信により、非接触のキーボード５１０で、ＰＣ１２０を操作することができる。
【０１２５】
すなわち、実施の形態５の通信装置５００Ａ、５００Ｂを含むシステムで、近接通信による大容量の高速通信を行うことができる。
【０１２６】
この近接通信は、数センチ以内程度の極近距離、又はアンテナ装置同士が当接した状態で行われるため、通信情報の機密性も確保される。
【０１２７】
以上、実施の形態５によれば、通信帯域が広く、通信情報の機密性が高く、容易に近接通信を行うことのできる通信装置５００Ａ、５００Ｂ及びこれを用いたシステムを提供することができる。
【０１２８】
なお、通信装置５００Ａに識別子を設定し、特定の識別子を有する通信装置５００Ａとの通信のみを通信装置５００Ｂが許可するように構成してもよい。
【０１２９】
この場合は、特定の識別子を有する通信装置５００Ａ以外では、ＰＣ１２０を操作することができなくなり、セキュリティ管理等に応用することができる。
【０１３０】
以上、本発明の例示的な実施の形態の通信装置及びこれを用いたシステムについて説明したが、本発明は、具体的に開示された実施の形態に限定されるものではなく、特許請求の範囲から逸脱することなく、種々の変形や変更が可能である。
【図面の簡単な説明】
【０１３１】
【図１】実施の形態１の通信装置に含まれるアンテナ装置の回路構成を示す図である。
【図２】実施の形態１の通信装置に含まれるアンテナ装置におけるＶＳＷＲ特性を示す図である。
【図３】実施の形態１の通信装置の構成を示す図であり、（ａ）は通信装置の外観を示す斜視図、（ｂ）は（ａ）の矢視Ａ−Ａ断面を示す図、（ｃ）は通信装置の構成を示すブロック図である。
【図４】実施の形態２の通信装置に含まれるアンテナ装置２０の構成を示す図である。
【図５】実施の形態２の通信装置に含まれるアンテナ装置２０におけるＶＳＷＲ特性を示す図である。
【図６】実施の形態２の通信装置を内蔵する端末装置の構成を示す図であり、（ａ）は外観を示す斜視図、（ｂ）は内部構成を示す透視図、（ｃ）は回路構成を示す図である。
【図７】実施の形態３の通信装置の構成を示す図である。
【図８】実施の形態４の通信装置の構成を示す図であり、（ａ）は平面図、（ｂ）は側面図である。
【図９】実施の形態５の通信装置の構成を示す図である。
【符号の説明】
【０１３２】
１０  アンテナ装置
１１  給電部
１２  アンテナエレメント
１３  抵抗器
１２Ａ  一端
１２Ｂ  他端
１２Ｃ、１２Ｄ  接続点
１００  通信装置
１０Ａ、１０Ｂ、１０Ｃ、１０Ｄ  アンテナ装置
１００Ａ  上面
１０１Ａ、１０１Ｂ、１０１Ｃ、１０１Ｄ  凹部
１１０  通信回路
１１０Ａ  ＲＦ送受信装置
１１０Ｂ  データ処理装置
１１０Ｃ  インターフェイス回路
１１０Ｄ  スイッチ
２０  アンテナ装置
２１  グランド部
２１Ａ  スロット部
２２  給電部
２３  抵抗器
２０Ａ、２０Ｂ、２０Ｃ  アンテナ装置
２００  端末装置
２１０  通信回路
２２０  演算処理装置
２３０  メモリ
２４０  再生装置
２５０  加速度センサ
３１０  キーボード
３００  通信装置
３１０Ａ  延長部
４００  通信装置
４１０  キーボード
５００Ａ、５００Ｂ  通信装置
５１０  キーボード
【図１】
2010056706.tif 000003
【図２】
2010056706.tif 000004
【図３】
2010056706.tif 000005
【図４】
2010056706.tif 000006
【図５】
2010056706.tif 000007
【図６】
2010056706.tif 000008
【図７】
2010056706.tif 000009
【図８】
2010056706.tif 000010
【図９】
2010056706.tif 000011